【手続補正書】
【提出日】平成23年12月21日(2011.12.21)
【手続補正１】
【補正対象書類名】特許請求の範囲
【補正対象項目名】全文
【補正方法】変更
【補正の内容】
【特許請求の範囲】
【請求項１】
キャリッジに搭載したインクジェットヘッドを主走査方向に移動させて印刷を行なうインクジェットプリンターによって印刷媒体に１ページ分の印刷データの印刷を行うページ印刷工程と、
前記ページ印刷工程において、前記１ページ分の印刷データの印刷が当該ページの区切りを示す制御指令の直前まで終了したときに割り込み処理を行う割り込み処理工程と、を含み、
前記割り込み処理工程は、前記インクジェットヘッドを待機位置に移動させて、前記インクジェットヘッドのインクノズルからインク滴が正常に吐出されているか否かを検出するインク吐出不良検出工程と、
前記インクノズルからインク滴が正常に吐出されていない場合には、前記１ページ分の印刷データを印刷する際に前記印刷媒体を搬送した搬送方向とは逆方向に当該印刷媒体を所定距離だけ搬送する逆搬送工程と、
予め記憶保持している印刷無効表示用印刷データを、前記印刷媒体に印刷する印刷無効表示印刷工程と、を含んでいることを特徴とする印刷無効表示の印刷方法。
【請求項２】
請求項１に記載の印刷無効表示の印刷方法において、
前記印刷無効表示用印刷データは、前記インクジェットヘッドを前記主走査方向に１回移動させる間に前記印刷媒体に印刷することができる画像のデータであることを特徴とする印刷無効表示の印刷方法。
【請求項３】
請求項１に記載の印刷無効表示の印刷方法において、
前記１ページ分の印刷データを記憶保持する印刷データ記憶保持工程と、
前記インクノズルからインク滴が正常に吐出されていない場合には、前記ページ印刷工程の後に、前記インクノズルのインク滴の吐出状態を正常な状態に回復させるノズル回復処理を行うノズル回復処理工程と、
前記１ページ分の印刷データの印刷を再度行う再印刷工程と、を含むことを特徴とする印刷無効表示の印刷方法。
【請求項４】
主走査方向に移動するとともに、インクノズルからインク滴を印刷媒体に吐出するインクジェットヘッドと、  
前記インクジェットヘッドを制御して、前記印刷媒体に１ページ分の印刷データの印刷を実行させるページ印刷制御手段と、
前記ページ印刷制御手段による前記１ページ分の印刷データの印刷が当該ページの区切りを示す制御指令の直前まで終了したときに割り込み処理を行う割り込み処理制御手段と、
印刷無効表示用印刷データを予め記憶保持している記憶保持手段と、を有し、
前記割り込み処理制御手段は、
前記インクジェットヘッドを待機位置に移動させて、前記インクジェットヘッドの前記インクノズルからインク滴が正常に吐出されているか否かを検出するインク吐出不良検出制御手段と、
前記インクノズルからインク滴が正常に吐出されていない場合には、前記１ページ分の印刷データを印刷する際に前記印刷媒体を搬送する搬送方向とは逆方向に当該印刷媒体を所定距離だけ搬送させる逆搬送制御手段と、
前記印刷媒体が前記搬送方向とは逆方向に搬送された後、前記印刷無効表示用印刷データを前記印刷媒体に印刷させる印刷無効表示印刷制御手段と、を備えていることを特徴とするインクジェットプリンター。
【請求項５】
請求項４に記載のインクジェットプリンターにおいて、
前記印刷無効表示用印刷データは、前記インクジェットヘッドを前記主走査方向に１回移動させる間に前記印刷媒体に印刷することができる画像のデータであることを特徴とするインクジェットプリンター。
【請求項６】
請求項５に記載のインクジェットプリンターにおいて、
前記印刷無効表示用印刷データとして、画像のデータを前記記憶保持手段に記憶保持させる画像データ登録制御手段を有していることを特徴とするインクジェットプリンター。
【請求項７】
請求項４に記載のインクジェットプリンターにおいて、
前記１ページ分の印刷データを記憶保持する印刷データ記憶保持手段と、
前記インクノズルからインク滴が正常に吐出されていない場合には、前記ページ印刷制御手段による前記１ページ分の印刷データの印刷が終了した後に、前記インクノズルのインク滴の吐出状態を正常な状態に回復させるノズル回復処理を行なわせるノズル回復処理制御手段と、
前記ノズル回復処理が行われると、前記印刷データ記憶保持手段によって記憶保持されている前記１ページ分の印刷データの印刷を行なわせる再印刷制御手段とを有することを特徴とするインクジェットプリンター。
【請求項８】
キャリッジに搭載したインクジェットヘッドを主走査方向に移動させて印刷を行なうインクジェットプリンターを駆動制御して印刷媒体に１ページ分の印刷データの印刷を行なわせるページ印刷制御手段と、
前記インクジェットプリンターによる前記１ページ分の印刷データの印刷が当該ページの区切りを示す制御指令の直前まで終了したときに割り込み処理を行う割り込み処理制御手段と、を有し、
前記割り込み処理制御手段は、
前記インクジェットヘッドを待機位置に移動させて、前記インクジェットプリンターの前記インクジェットヘッドのインクノズルからインク滴が正常に吐出されているか否かを検出するインク吐出不良検出制御手段と、
前記インクノズルからインク滴が正常に吐出されていない場合には、前記インクジェットプリンターを駆動制御して前記１ページ分の印刷データを印刷する際に前記印刷媒体を搬送する搬送方向とは逆方向に当該印刷媒体を所定距離だけ搬送させる逆搬送制御手段と、
前記印刷媒体が前記搬送方向とは逆方向に搬送された後、前記インクジェットプリンターを駆動制御して記憶保持されている印刷無効表示用印刷データを前記印刷媒体に印刷させる印刷無効表示印刷制御手段と、を備えていることを特徴とするプリンタードライバー。
【請求項９】
主走査方向に移動するインクジェットヘッドのインクノズルから吐出したインク滴により印刷媒体に所定の印刷データを印刷する印刷工程と、
前記印刷工程の後、前記インクジェットヘッドを待機位置に移動させて、前記インクジェットヘッドの前記インクノズルからインク滴が正常に吐出されているか否かを検出するインク吐出不良検出工程と、
前記インク吐出不良検出工程により、前記インクノズルからインク滴が正常に吐出されていないことが検出された場合に、印刷無効表示用印刷データを、前記印刷媒体に印刷する印刷無効表示印刷工程と、を含んでいることを特徴とする印刷無効表示の印刷方法。
【請求項１０】
請求項９に記載の印刷無効表示の印刷方法において、
前記所定の印刷データがページ単位の印刷データの場合、
前記ページ単位の印刷データの印刷が終了したときに、搬送制御手段により前記印刷媒体をページ単位分搬送し、
ページ単位分搬送した後、前記インク吐出不良検出工程を行うことを特徴とする印刷無効表示の印刷方法。
【請求項１１】
請求項９に記載の印刷無効表示の印刷方法において、
前記所定の印刷データ中の、所定の行単位データの印刷が終了した後、
前記インク吐出不良検出工程を行うことを特徴とする印刷無効表示の印刷方法。
【請求項１２】
請求項９に記載の印刷無効表示の印刷方法において、
前記インクノズルのインク滴の吐出状態を正常な状態に回復させるノズル回復処理工程を有し、
前記印刷無効表示印刷工程後、前記印刷無効表示が印刷された記録紙を排出し、前記ノズル回復処理工程を実施した後、前記所定の印刷データを再度印刷することを特徴とする印刷無効表示の印刷方法。
【請求項１３】
請求項９に記載の印刷無効表示の印刷方法において、
前記印刷無効表示印刷工程において、前記インクジェットヘッドが主走査方向に1回移動したときに印刷できる幅分、前記印刷媒体を搬送することを特徴とする印刷無効表示の印刷方法。
【請求項１４】
主走査方向に移動するとともに、インク滴を吐出するインクノズルを備えたインクジェットヘッドと、
前記インクジェットヘッドの待機位置に配設されて、前記インク滴の吐出状態を検出するヘッド保守機構と、
前記インク滴により印刷が行われる印刷媒体を搬送する搬送機構と、
印刷無効表示用印刷データを記憶保持する記憶保持手段と、
前記インクジェットヘッド、前記ヘッド保守機構、及び前記搬送機構を制御する制御部と、を備え、
前記制御部は、
印刷媒体に印刷データの印刷を行う印刷制御手段と、前記印刷制御手段による所定範囲の前記印刷データの印刷が終了したときに割り込み処理を行う割り込み処理制御手段とを備え、
前記割り込み処理制御手段は、
前記所定の印刷データの印刷後、前記インクジェットヘッドを待機位置に移動させて前記ヘッド保守機構を制御し、前記インクノズルからインク滴が正常に吐出されているか否かを検出するインク吐出不良検出制御手段と、
前記インクノズルからインク滴が正常に吐出されていない場合に、前記インクジェットヘッドによって印刷無効表示用印刷データを前記印刷媒体に印刷させる印刷無効表示印刷制御手段と、を備えていることを特徴とするインクジェットプリンター。
【請求項１５】
主走査方向に移動するインクジェットヘッドのインクノズルから吐出したインク滴により印刷媒体に所定の印刷データを印刷する印刷工程と、
前記印刷工程の後、前記インクジェットヘッドを待機位置に移動させて前記インクジェットヘッドの前記インクノズルからインク滴が正常に吐出されているか否かを検出するインク吐出不良検出工程と、
前記インク吐出不良検出工程により、前記インクノズルからインク滴が正常に吐出されていないことが検出された場合に、印刷無効表示用印刷データを、前記印刷媒体における直前に印刷された部分に印刷する印刷無効表示印刷工程と、を含んでいることを特徴とする印刷無効表示の印刷方法。
【請求項１６】
主走査方向に移動するとともに、インク滴を吐出するインクノズルを備えたインクジェットヘッドと、
前記インクジェットヘッドの待機位置に配設された前記インク滴の吐出状態を検出するヘッド保守機構と、
前記インク滴により印刷が行われる印刷媒体を搬送する搬送機構と、
印刷無効表示用印刷データを記憶保持する記憶保持手段と、
前記インクジェットヘッド、前記ヘッド保守機構、及び前記搬送機構を制御する制御部と、を備え、
前記制御部は、
前記印刷媒体に印刷データの印刷を行なわせる印刷制御手段、及び前記印刷制御手段による所定範囲の前記印刷データの印刷が終了したときに割り込み処理を行う割り込み処理制御手段を備え、
前記割り込み処理制御手段は、
前記インクジェットヘッドを前記待機位置に移動させるとともに、前記ヘッド保守機構を制御して、前記インクノズルからインク滴が正常に吐出されているか否かを検出するインク吐出不良検出制御手段と、
前記インクノズルからインク滴が正常に吐出されていない場合に、前記インクジェットヘッドによって印刷無効表示用印刷データを前記印刷媒体に印刷させる印刷無効表示印刷制御手段と、を備えていることを特徴とするインクジェットプリンター。
【請求項１７】
主走査方向に移動するインクジェットヘッドのインクノズルから吐出したインク滴により印刷媒体に所定の印刷データを印刷する印刷工程と、
前記印刷工程の後、前記インクジェットヘッドを待機位置に移動させて前記インクジェットヘッドの前記インクノズルからインク滴が正常に吐出されているか否かを検出するインク吐出不良検出工程と、
前記インク吐出不良検出工程により、前記インクノズルからインク滴が正常に吐出されていないことが検出された場合に、報知装置により報知する報知工程と、を有することを特徴とする印刷無効の報知方法。
【請求項１８】
請求項１７に記載の印刷無効の報知方法において、
前記報知工程で、印刷無効表示用印刷データを、前記印刷媒体に印刷することを特徴とする印刷無効の報知方法。
【請求項１９】
主走査方向に移動するとともに、インク滴を吐出するインクノズルを備えたインクジェットヘッドと、
前記インクジェットヘッドの待機位置に配設されて、前記インク滴の吐出状態を検出するためのヘッド保守機構と、
前記インク滴により印刷が行われる印刷媒体を搬送する搬送機構と、
インク滴の吐出状態を報知する報知装置と、
前記インクジェットヘッド、前記ヘッド保守機構、前記搬送機構および前記報知装置を制御する制御部と、を備え、
前記制御部は、
前記印刷媒体に印刷データの印刷を行なわせる印刷制御手段、及び前記印刷制御手段による所定範囲の前記印刷データの印刷が終了したときに割り込み処理を行う割り込み処理制御手段を備え、
前記割り込み処理制御手段は、
前記インクジェットヘッドを前記待機位置に移動させるとともに、前記ヘッド保守機構を制御して、前記インクノズルからインク滴が正常に吐出されているか否かを検出するインク吐出不良検出制御手段と、
前記インクノズルからインク滴が正常に吐出されていない場合に、前記報知装置により前記インクノズルからインク滴が正常に吐出されていないことを報知させる報知装置制御手段と、を備えていることを特徴とするインクジェットプリンター。
【手続補正２】
【補正対象書類名】明細書
【補正対象項目名】０００９
【補正方法】変更
【補正の内容】
【０００９】
上記の課題を解決するための本発明は以下の通りである。
本発明の印刷無効表示の印刷方法は、キャリッジに搭載したインクジェットヘッドを主走査方向に移動させて印刷を行なうインクジェットプリンターによって印刷媒体に１ページ分の印刷データの印刷を行うページ印刷工程と、前記ページ印刷工程において、前記１ページ分の印刷データの印刷が当該ページの区切りを示す制御指令の直前まで終了したときに割り込み処理を行う割り込み処理工程と、を含み、前記割り込み処理工程は、前記インクジェットヘッドを待機位置に移動させて、前記インクジェットヘッドのインクノズルからインク滴が正常に吐出されているか否かを検出するインク吐出不良検出工程と、前記インクノズルからインク滴が正常に吐出されていない場合には、前記１ページ分の印刷データを印刷する際に前記印刷媒体を搬送した搬送方向とは逆方向に当該印刷媒体を所定距離だけ搬送する逆搬送工程と、予め記憶保持している印刷無効表示用印刷データを、前記印刷媒体に印刷する印刷無効表示印刷工程と、を含んでいることを特徴とする。
【手続補正３】
【補正対象書類名】明細書
【補正対象項目名】００１４
【補正方法】変更
【補正の内容】
【００１４】
次に、本発明のインクジェットプリンターは、主走査方向に移動するとともに、インクノズルからインク滴を印刷媒体に吐出するインクジェットヘッドと、前記インクジェットヘッドを制御して、前記印刷媒体に１ページ分の印刷データの印刷を実行させるページ印刷制御手段と、前記ページ印刷制御手段による前記１ページ分の印刷データの印刷が当該ページの区切りを示す制御指令の直前まで終了したときに割り込み処理を行う割り込み処理制御手段と、印刷無効表示用印刷データを予め記憶保持している記憶保持手段と、を有し、前記割り込み処理制御手段は、前記インクジェットヘッドを待機位置に移動させて、前記インクジェットヘッドの前記インクノズルからインク滴が正常に吐出されているか否かを検出するインク吐出不良検出制御手段と、前記インクノズルからインク滴が正常に吐出されていない場合には、前記１ページ分の印刷データを印刷する際に前記印刷媒体を搬送する搬送方向とは逆方向に当該印刷媒体を所定距離だけ搬送させる逆搬送制御手段と、前記印刷媒体が前記搬送方向とは逆方向に搬送された後、前記印刷無効表示用印刷データを前記印刷媒体に印刷させる印刷無効表示印刷制御手段と、を備えていることを特徴とする。
【手続補正４】
【補正対象書類名】明細書
【補正対象項目名】００２０
【補正方法】変更
【補正の内容】
【００２０】
次に、本発明のプリンタードライバーは、キャリッジに搭載したインクジェットヘッドを主走査方向に移動させて印刷を行なうインクジェットプリンターを駆動制御して印刷媒体に１ページ分の印刷データの印刷を行なわせるページ印刷制御手段と、前記インクジェットプリンターによる前記１ページ分の印刷データの印刷が当該ページの区切りを示す制御指令の直前まで終了したときに割り込み処理を行う割り込み処理制御手段と、を有し、前記割り込み処理制御手段は、前記インクジェットヘッドを待機位置に移動させて、前記インクジェットプリンターの前記インクジェットヘッドのインクノズルからインク滴が正常に吐出されているか否かを検出するインク吐出不良検出制御手段と、前記インクノズルからインク滴が正常に吐出されていない場合には、前記インクジェットプリンターを駆動制御して前記１ページ分の印刷データを印刷する際に前記印刷媒体を搬送する搬送方向とは逆方向に当該印刷媒体を所定距離だけ搬送させる逆搬送制御手段と、前記印刷媒体が前記搬送方向とは逆方向に搬送された後、前記インクジェットプリンターを駆動制御して記憶保持されている印刷無効表示用印刷データを前記印刷媒体に印刷させる印刷無効表示印刷制御手段と、を備えていることを特徴とする。
【手続補正５】
【補正対象書類名】明細書
【補正対象項目名】００２４
【補正方法】変更
【補正の内容】
【００２４】
また、本発明の印刷無効表示の印刷方法は、主走査方向に移動するインクジェットヘッドのインクノズルから吐出したインク滴により印刷媒体に所定の印刷データを印刷する印刷工程と、前記印刷工程の後、前記インクジェットヘッドを待機位置に移動させて、前記インクジェットヘッドの前記インクノズルからインク滴が正常に吐出されているか否かを検出するインク吐出不良検出工程と、前記インク吐出不良検出工程により、前記インクノズルからインク滴が正常に吐出されていないことが検出された場合に、印刷無効表示用印刷データを、前記印刷媒体に印刷する印刷無効表示印刷工程と、を含んでいることを特徴とする。
【手続補正６】
【補正対象書類名】明細書
【補正対象項目名】００２７
【補正方法】変更
【補正の内容】
【００２７】
また、本発明のインクジェットプリンターは、主走査方向に移動するとともに、インク滴を吐出するインクノズルを備えたインクジェットヘッドと、前記インクジェットヘッドの待機位置に配設されて、前記インク滴の吐出状態を検出するヘッド保守機構と、前記インク滴により印刷が行われる印刷媒体を搬送する搬送機構と、印刷無効表示用印刷データを記憶保持する記憶保持手段と、前記インクジェットヘッド、前記ヘッド保守機構、及び前記搬送機構を制御する制御部と、を備え、前記制御部は、印刷媒体に印刷データの印刷を行う印刷制御手段と、前記印刷制御手段による所定範囲の前記印刷データの印刷が終了したときに割り込み処理を行う割り込み処理制御手段とを備え、前記割り込み処理制御手段は、前記所定の印刷データの印刷後、前記インクジェットヘッドを待機位置に移動させて前記ヘッド保守機構を制御し、前記インクノズルからインク滴が正常に吐出されているか否かを検出するインク吐出不良検出制御手段と、前記インクノズルからインク滴が正常に吐出されていない場合に、前記インクジェットヘッドによって印刷無効表示用印刷データを前記印刷媒体に印刷させる印刷無効表示印制御手段と、を備えていることを特徴とする。
【手続補正７】
【補正対象書類名】明細書
【補正対象項目名】００３０
【補正方法】変更
【補正の内容】
【００３０】
また、本発明の印刷無効表示の印刷方法は、主走査方向に移動するインクジェットヘッドのインクノズルから吐出したインク滴により印刷媒体に所定の印刷データを印刷する印刷工程と、前記印刷工程の後、前記インクジェットヘッドを待機位置に移動させて前記インクジェットヘッドの前記インクノズルからインク滴が正常に吐出されているか否かを検出するインク吐出不良検出工程と、前記インク吐出不良検出工程により、前記インクノズルからインク滴が正常に吐出されていないことが検出された場合に、印刷無効表示用印刷データを、前記印刷媒体における直前に印刷された部分に印刷する印刷無効表示印刷工程と、を含んでいることを特徴とする。
【手続補正８】
【補正対象書類名】明細書
【補正対象項目名】００３３
【補正方法】変更
【補正の内容】
【００３３】
また、本発明のインクジェットプリンターは、主走査方向に移動するとともに、インク滴を吐出するインクノズルを備えたインクジェットヘッドと、前記インクジェットヘッドの待機位置に配設された前記インク滴の吐出状態を検出するヘッド保守機構と、前記インク滴により印刷が行われる印刷媒体を搬送する搬送機構と、印刷無効表示用印刷データを記憶保持する記憶保持手段と、前記インクジェットヘッド、前記ヘッド保守機構、及び前記搬送機構を制御する制御部と、を備え、前記制御部は、前記印刷媒体に印刷データの印刷を行なわせる印刷制御手段、及び前記印刷制御手段による所定範囲の前記印刷データの印刷が終了したときに割り込み処理を行う割り込み処理制御手段を備え、前記割り込み処理制御手段は、前記インクジェットヘッドを前記待機位置に移動させるとともに、前記ヘッド保守機構を制御して、前記インクノズルからインク滴が正常に吐出されているか否かを検出するインク吐出不良検出制御手段と、前記インクノズルからインク滴が正常に吐出されていない場合に、前記インクジェットヘッドによって印刷無効表示用印刷データを前記印刷媒体に印刷させる印刷無効表示印刷制御手段と、を備えていることを特徴とする。
【手続補正９】
【補正対象書類名】明細書
【補正対象項目名】００３６
【補正方法】変更
【補正の内容】
【００３６】
また、本発明の印刷無効の報知方法は、主走査方向に移動するインクジェットヘッドのインクノズルから吐出したインク滴により印刷媒体に所定の印刷データを印刷する印刷工程と、前記印刷工程の後、前記インクジェットヘッドを待機位置に移動させて前記インクジェットヘッドの前記インクノズルからインク滴が正常に吐出されているか否かを検出するインク吐出不良検出工程と、前記インク吐出不良検出工程により、前記インクノズルからインク滴が正常に吐出されていないことが検出された場合に、報知装置により報知する報知工程と、を有することを特徴とする。
【手続補正１０】
【補正対象書類名】明細書
【補正対象項目名】００３９
【補正方法】変更
【補正の内容】
【００３９】
また、本発明のインクジェットプリンターは、主走査方向に移動するとともに、インク滴を吐出するインクノズルを備えたインクジェットヘッドと、前記インクジェットヘッドの待機位置に配設されて、前記インク滴の吐出状態を検出するためのヘッド保守機構と、前記インク滴により印刷が行われる印刷媒体を搬送する搬送機構と、インク滴の吐出状態を報知する報知装置と、前記インクジェットヘッド、前記ヘッド保守機構、前記搬送機構および前記報知装置を制御する制御部と、を備え、前記制御部は、前記印刷媒体に印刷データの印刷を行なわせる印刷制御手段、及び前記印刷制御手段による所定範囲の前記印刷データの印刷が終了したときに割り込み処理を行う割り込み処理制御手段を備え、前記割り込み処理制御手段は、前記インクジェットヘッドを前記待機位置に移動させるとともに、前記ヘッド保守機構を制御して、前記インクノズルからインク滴が正常に吐出されているか否かを検出するインク吐出不良検出制御手段と、前記インクノズルからインク滴が正常に吐出されていない場合に、前記報知装置により前記インクノズルからインク滴が正常に吐出されていないことを報知させる報知装置制御手段と、を備えていることを特徴とする。